(57)【要約】【課題】横からの衝突に対する安全性を高める。【解決手段】棒状の商品支持アーム３に商品を吊り下げて陳列する商品陳列用フック１において、商品支持アーム３は、硬質で曲げ弾性に富む材料から成る芯部材８と、芯部材８の軸線方向の全体を被覆する軟質で弾性変形可能な材料から成る被覆部材９と、から構成されている。【選択図】図１
2010213881.tif 000002
【特許請求の範囲】
【請求項１】
棒状の商品支持アームに商品を吊り下げて陳列する商品陳列用フックにおいて、
前記商品支持アームは、硬質で曲げ弾性に富む材料から成る芯部材と、前記芯部材の軸線方向の全体を被覆する軟質で弾性変形可能な材料から成る被覆部材と、から構成されたことを特徴とする商品陳列用フック。
【請求項２】
前記商品支持アームは、柄の部分となる本体部の先端に、上方へ傾斜する商品抜け止め用の傾斜部を有し、前記本体部を前記芯部材および前記被覆部材で形成するとともに、前記傾斜部を前記被覆部材と同一材料で前記被覆部材と一体に形成したことを特徴とする請求項１に記載の商品陳列用フック。
【請求項３】
前記芯部材に対して前記被覆部材が一体的に二色成形してあることを特徴とする請求項１又は２に記載の商品陳列用フック。
【請求項４】
前記芯部材は、軸線方向の途中が根元部および先端部に比べて小径に形成されていることを特徴とする請求項３に記載の商品陳列用フック。
【請求項５】
前記芯部材の先端部に、軸線方向に延びる線状リブを一体で形成したことを特徴とする請求項３又は４に記載の商品陳列用フック。
【請求項６】
前記芯部材の先端面の周囲が面取りされていることを特徴とする請求項１〜５のいずれかに記載の商品陳列用フック。
【請求項７】
前記芯部材および前記被覆部材は共に、生分解性の材料から成ることを特徴とする請求項１〜６のいずれかに記載の商品陳列用フック。
【請求項８】
前記商品支持アームの軸線方向は、水平に対して上方へ傾斜していることを特徴とする請求項１〜７のいずれかに記載の商品陳列用フック。
【請求項９】
前記芯部材の断面形状を縦長の楕円形状としたことを特徴とする請求項１〜８のいずれかに記載の商品陳列用フック。
【発明の詳細な説明】
【技術分野】
【０００１】
本発明は、商品陳列用棚などの被係止部に係止され、商品を吊り下げて陳列する商品陳列用フックに関する。
【背景技術】
【０００２】
この種の商品陳列用フックとしては、金属製または硬質樹脂製で略棒状を成すと共に、ネット形陳列棚などの構造体に基体部を連結し、商品支持アームを略水平に突出させた状態にして商品を吊り下げるものがある。このような商品陳列用フックには、様々な店舗などで使用されており、例えば構造体に多数本を所定間隔で設けることで、多くの商品の陳列に役立っていることが周知である（特許文献１参照）。
【０００３】
ところで、上記したような従来の商品陳列用フックは、安全性を確保するために、先端部に丸みを設定するなどの工夫が施されているが、商品支持アームが略棒状を成して突出した状態にあり、また、商品などによって見え難い状態になることもあって、例えば顔を近づけた際に不安感を与えるおそれがあった。
【０００４】
そこで、商品支持アームの先端部に軟質材料からなるキャップ様の保護部材を設けて安全性を高める改善策が提案されている（特許文献２、３参照）。
【先行技術文献】
【特許文献】
【０００５】
【特許文献１】特開２０００−６０６９８号公報（図１）
【特許文献２】特開２００４−２３６９７５号公報（図１〜１４、請求項１）
【特許文献３】特開２００６−１２２１０３号公報（図１〜５、請求項１〜２）
【発明の概要】
【発明が解決しようとする課題】
【０００６】
しかしながら、このような安全対策では、商品支持アームの先端部しか保護されていないため、分別のない子供が店舗スペースを走り回ったときなどに、突き出した商品支持アームの保護部材で保護されていない柄の部分に横から顔などの人体をぶつけたりする事故への配慮がなされていなかった。すなわち、商品支持アームが金属製の場合は曲げ弾性が乏しく衝撃の反動がそのまま人体に返ってきて打ち身をしたり、硬質樹脂製の場合は衝撃が大きいと折れやすく、商品支持アームの亀裂箇所のささくれだった部分が人体に刺さって外傷を負うおそれがあった。
【０００７】
本発明は、上記従来の問題点に鑑みてなされたものであり、横からの衝突に対する安全性を高めた商品陳列用フックを提供することを目的とする。
【課題を解決するための手段】
【０００８】
上記目的を達成するために本発明は、棒状の商品支持アームに商品を吊り下げて陳列する商品陳列用フックにおいて、前記商品支持アームは、硬質で曲げ弾性を有する材料から成る芯部材と、前記芯部材の軸線方向の全体を被覆する軟質で弾性変形可能な材料から成る被覆部材と、から構成されたことを特徴とする。
【０００９】
この構成によると、商品支持アームは、軸線方向の全体が軟質な材料で被覆されることとなるため、商品支持アームの横からの衝突に対する安全性が向上する。この際、曲げ弾性を有する芯部材が撓んで衝撃を緩和するので、衝突の反動で人体に返ってくる衝撃が軽減される。また、衝撃が大きくて芯部材が折れた場合であっても、弾性変形可能な被覆部材が芯部材の亀裂箇所を覆っており、ささくれだった芯部材の先が人体に直接当たらないので、安全性が高い。
【００１０】
また、前記商品支持アームは、柄の部分となる本体部の先端に、上方へ傾斜する商品抜け止め用の傾斜部を有し、前記本体部を前記芯部材および前記被覆部材で形成するとともに、前記傾斜部を前記被覆部材と同一材料で前記被覆部材と一体に形成したことを特徴とする。これによると、本体部の先端部を支点として傾斜部は弾性変形が可能であり、商品支持アーム３の先端側からの衝突に対する安全性も確保される。
【００１１】
前記被覆部材は、前記芯部材に対して一体的に二色成形することで容易に形成できる。これによると、被覆部材の成形と同時に被覆部材が芯部材に固着されるため、商品支持アームに吊り下げられた商品を取り出す際などに被覆部材に軸線方向の力が作用しても、被覆部材が芯部材から抜けることを防ぐことができる。
【００１２】
この場合、前記芯部材を、軸線方向の途中が根元部および先端部に比べて小径に形成すると、被覆部材は成形時に段差を有する小径部の周囲にも隙間なく充填されることになり、被覆部材の抜け防止をより確実にすることができる。また、芯部材の先端部に作用する曲げの応力は小径部で強くなり、芯部材は小径部を支点にして撓みやすく或いは折れやすくなる。よって、商品支持アームの先端部に近い箇所に横から顔などの人体が衝突したときに、反動で人体に返ってくる衝撃を効率よく緩和することができ、衝突に対する安全性が向上する。
【００１３】
さらに、前記芯部材の先端部に、軸線方向に延びる線状リブを一体で形成してもよい。これによれば、商品陳列用フックの廃棄時あるいはリサイクル時に、線状リブを目印に被覆部材の外側からカッターナイフの刃先を差し込み、該線状リブをガイドにして切り裂けば、被覆部材を芯部材から容易に剥離することができる。
【００１４】
そして、前記芯部材の先端面の周囲を面取りされた形状とすると、軟質の材料から成る被覆部材が内側から裂けるおそれがなくてよい。
【００１５】
また、前記芯部材は、生分解性の材料から成るものとすることができる。これによると、芯部材の数回程度のリサイクルが可能となるとともに、廃棄時には土壌中へ廃棄できるため、環境保護の面から望ましい。
【００１６】
また、前記商品支持アームの軸線方向は、水平に対して上方へ傾斜させると、商品支持アームに比較的重量のある商品を数多く吊り下げても、荷重で商品支持アームが垂れ下がることがないので、商品が落下したり、陳列状態の見栄えが損なわれたりすることを防げる。また、商品支持アームの先端に近い箇所に正面から或いは下から顔などの人体が衝突した場合に、商品支持アームの先端部を上方向に撓みやすくして衝撃を緩和できるため、横からだけでなく、正面や下からの衝突に対する安全性も向上する。
【００１７】
また、前記芯部材の断面形状を縦長の楕円形状とすると、同じ断面積で比較すると円形の場合に比べて強度が商品支持アームの強度が約５０％増す。
【発明の効果】
【００１８】
本発明によると、商品支持アームは、軸線方向の全体が軟質な材料で被覆されることとなるため、横からの衝突に対する安全性が向上する。この際、曲げ弾性を有する芯部材が撓んで衝撃を緩和するので、衝突の反動で人体に返ってくる衝撃が軽減される。また、衝撃が大きくて芯部材が折れた場合であっても、弾性変形可能な被覆部材が芯部材の亀裂箇所を覆っており、ささくれだった芯部材の先が人体に直接当たらないので、安全性が高い。
【００１９】
また、被覆部材をなす軟質の材料はグリップも強いため、配置や間隔などの体裁を整えて吊り下げられた商品が、陳列状態で商品支持アームの軸線方向へずれて見栄えが悪くなることを防ぐことができる。
【図面の簡単な説明】
【００２０】
【図１】本発明の第１実施形態の商品陳列用フックを示す斜視図
【図２】第１実施形態の商品陳列用フックの使用状態を示す斜視図
【図３】第１の実施形態の商品陳列用フックの商品支持アームの軸線方向に沿った垂直断面図（ａ）、図３（ａ）の商品支持アームの本体部の先端周辺の拡大図（ｂ）、および図３（ａ）の商品支持アームの本体部の根本周辺の拡大図（ｃ）
【図４】図３（ｂ）のｘ−ｘ線断面図
【図５】図３（ｃ）のｙ−ｙ線断面図
【図６】図３（ｃ）のｚ−ｚ線断面図
【図７】第１の実施形態の商品陳列用フックの商品支持アームを二色成形する際の最終工程を示す一部省略垂直断面図
【図８】商品陳列用フックの商品支持アームの他の例を示す断面図
【図９】商品支持アームの芯部材が途中で折れた状態を示す断面図
【図１０】本発明の第２実施形態の商品陳列用フックを示す斜視図
【図１１】第２実施形態の商品陳列用フックの使用状態を示す斜視図
【発明を実施するための形態】
【００２１】
＜第１の実施形態＞
本発明の第１の実施形態を図１〜図３を参照して説明する。図１は第１実施形態の商品陳列用フックを示す斜視図である。図２は、第１実施形態の商品陳列用フックの使用状態を示す斜視図である。図３は、第１の実施形態の商品陳列用フックの商品支持アームの軸線方向に沿った垂直断面図（ａ）、図３（ａ）の商品支持アームの本体部の先端周辺の拡大図（ｂ）、および図３（ａ）の商品支持アームの本体部の根本周辺の拡大図（ｃ）である。
【００２２】
図において、符号１は商品陳列用フックを示し、この商品陳列用フック１は、板状の基体部２と、この基体部２の正面に設けられる所定長さの商品支持アーム３とから構成される。
【００２３】
図１および図２に示すように、基体部２は、この商品陳列用フック１が係止されるネット形陳列棚３０の、上下に隣接する横線材３１、３１の間隔よりも長く形成され、上端部には、被係止部である横線材３１に係止可能な、下向き略Ｕ字形の係止片４が設けられている。係止片４の内側には、ネット形陳列棚３０の横線材３１の下側に係止可能な突起部４ａを設けて、横線材３１からの係止片４の不用意な脱落を防止するようにしている。また、基体部２の背面側には、上下方向のＵ字形溝５が、ネット形陳列３０の縦線材３２に外嵌可能に形成されている。
【００２４】
商品支持アーム３は、基体部２の前面側の略中央部から前方へ、略水平方向に棒状に延出して形成されている。図中、符号６で示すのは、商品支持アーム３の柄の部分となる本体部であり、符号７で示すのは、本体部６の先端に設けられ、上方へ傾斜して商品の抜け止めの働きをする傾斜部である。
【００２５】
図３（ａ）に示すように、商品支持アーム３の軸線方向は、水平に対して若干上方へ傾斜して形成されている。傾斜角度αは、水平に対して例えば０〜１０°の間で設定される値である。これにより、商品支持アーム３に比較的重量のある商品を数多く吊り下げても、荷重で商品支持アーム３が垂れ下がることがないので、商品が落下したり、陳列状態の見栄えが損なわれたりすることを防げる。また、商品支持アームの先端に近い箇所に正面から或いは下から顔などの人体が衝突した場合に、商品支持アームの先端部を上方向に撓みやすくして衝撃を緩和できるため、横からだけでなく、正面や下からの衝突に対する安全性も向上する。もちろん、上記の傾斜角度は一例であり、想定される商品の種類などによって適宜変更される。したがって、ごく軽い商品を少数吊り下げるような用途が想定される場合は、商品支持アーム３の軸線方向は水平でも構わない。
【００２６】
商品支持アーム３は、硬質で曲げ弾性を有する材料から成る芯部材８と、芯部材８の軸線方向の全体を被覆する軟質で弾性変形可能な材料から成る被覆部材９と、で構成されている。本実施形態では、芯部材８は、基体部２と共に一体に成形されている。芯部材８の外径φ１（根本部１０および先端部１２）は例えば約４ｍｍで、被覆部材９の外径φ３は例えば約６ｍｍである。符号２１は、芯部材８の根本の下側を補強する三角リブであり、基体部２と共に一体に成形されている。図５に示すように、芯部材８は三角リブ２１を避けた形で被覆部材９に被覆されることになるが、芯部材８は軸線方向の全体が被覆されていることに変わりはない。三角リブ２１は省略することも可能である。
【００２７】
ここで、芯部材８の材料としては、ＡＢＳ樹脂などの一般的な熱可塑性樹脂の他、環境保護の観点からトウモロコシなどを原料とする生分解性樹脂を使用することができる。他方、被覆部材９の材料としては、シリコンやポリウレタンなどのエラストマー系樹脂若しくは軟質樹脂を使用することができる。芯部材８と被覆部材９は共に、回収した廃材にバージン材を所定の割合で添加して３回程度リサイクルすることができる。
【００２８】
なお、芯部材８と被覆部材９は異質な材料で形成されていることが、店舗のスタッフや消費者が視認できるようにすることが望ましい。例えば、芯部材８は樹脂に白色顔料などを混入して成形することで不透明色を呈するものとし、被覆部材９は樹脂に顔料を混入しないか若しくは薄い顔料を混入して成形することで透明若しくは半透明色を呈するものとすれば、色彩によって両者を一目で識別することができる。
【００２９】
図３（ａ）に示すように、商品支持アーム３は、柄の部分となる本体部６が、上記の芯部材８および被覆部材９による異質の材料の二重構造にて形成されている。他方、商品抜け止め用の傾斜部７は、被覆部材９と同一材料で被覆部材９と一体に形成されている。なお、傾斜部７の先端は尖っていると危険なので、図示のごとく丸みを帯びた形状とすることが望ましい。
【００３０】
これにより、商品支持アーム３は、軸線方向の全体が軟質な材料で被覆されることとなるため、横からの衝突に対する安全性が向上する。この際、曲げ弾性を有する芯部材８が撓んで衝撃を緩和するので、衝突の反動で人体に返ってくる衝撃が軽減される。また、衝撃が大きくて芯部材８が折れた場合であっても、図９に示すように、弾性変形可能な被覆部材９が芯部材８の亀裂箇所を覆っており、ささくれだった芯部材の先が人体に直接当たらないので、安全性が高い。なお、芯部材８が根本で折れ取れた場合でも被覆部材９の末端部が収縮して芯部材８の折れた先を包むように保護するため安全である。
【００３１】
また、被覆部材９をなす軟質の材料はグリップも強いため、配置や間隔などの体裁を整えて吊り下げられた商品が、陳列状態で商品支持アーム３の軸線方向へずれて見栄えが悪くなることを防ぐことができる。
【００３２】
上記のような商品支持アーム３は、図７に示すように、芯部材８を基体部２と一体に射出成形した後、別の金型４１，４２内で被覆部材９を芯部材８に対して一体的に射出成形（二色成形）することで容易に形成できる（図中の矢印は材料の流れ方向を示す）。これによると、被覆部材９の成形と同時に被覆部材９が芯部材８に固着されるため、商品支持アーム３に吊り下げられた商品を取り出す際などに被覆部材９に軸線方向の力が作用しても、被覆部材９が芯部材８から抜けることを容易に防ぐことができる。ここで、図３（ｃ）および図６に示すように、芯部材８の根本部１０に横方向に貫通孔２３を設けておくと、被覆部材９の成形時にこの貫通孔２３にも材料が流入し、貫通孔２３を通して被覆部材９が芯部材８の内部で繋がるので、被覆部材９の抜け防止をより確実にすることができる。なお、貫通孔２３は先端部１１や小径部１２に設けてもよく、貫通孔２３の数は２つ以上でもよい。
【００３３】
芯部材８は、図３（ａ）に示すように、芯部材８は、軸線方向の途中に、根元部１０および先端部１１に比べて小径に形成された小径部１２を有する。例えば、根本部１０および先端部１１の外径φ１は約４ｍｍに対し、小径部１２の外径φ２は約３ｍｍに設定される。
【００３４】
これにより、被覆部材９は成形時に段差を有する小径部１２の周囲にも隙間なく充填されることになり、被覆部材９の抜け防止をより確実にすることができる。また、芯部材８の先端部１１に作用する曲げの応力は小径部１２で強くなり、芯部材８は小径部１２を支点にして撓みやすくなる。よって、商品支持アーム３の先端に近い箇所に横から顔などの人体が衝突したときに、反動で人体に返ってくる衝撃を効率よく緩和することができ、衝突に対する安全性が向上する。
【００３５】
ここで、芯部材８の根本部１０、小径部１２、先端部１１の長さの比率は、衝突などの瞬発的な力は小径部１２で受け、商品の荷重は根本部１０でしっかり受けられるようにするため、約６：２：２の比率となっている。なお、本体部６の全長Ｌは、吊り下げる商品の数に応じて約２０ｍｍ〜３７０ｍｍの間で適宜変更されるが、芯部材８の各部の長さの比率は上記の比率を維持するのが望ましい。
【００３６】
さらに、芯部材８の先端部１１の底部および上部に、図３（ｂ）および図４に示すように、軸線方向に延びる線状リブ１３および２２をそれぞれ一体で形成している。これによれば、商品陳列用フック１の廃棄時あるいはリサイクル時に、線状リブ１３、２３のいずれかを目印に被覆部材９の外側からカッターナイフの刃先を差し込み、該線状リブ１３をガイドにして切り裂けば、被覆部材９を芯部材８から容易に剥離することができる。また、芯部材８の先端部１１に線状リブ１３および２２を設けたことで、被覆部材９の成形時に、線状リブ１３および２４が金型の内壁に当接し、被覆部材９となる材料の流れが速くても芯部材８は金型内の中心に安定して位置決めされるので、被覆部材９の成形不良を防ぐことができる。なお、上記の目的が達成されさえすれば、線状リブ１３および２２はいずれか一方だけでも構わない。
【００３７】
硬質の材料から成る芯部材８の先端面のエッジが尖っていと、軟質の材料から成る被覆部材９が傷つき内側から破損するおそれがあるため、芯部材８の先端面の周囲は面取りされた形状とすることが望ましい。
【００３８】
なお、図８に示すように、芯部材８の断面形状を縦長の楕円形状としてもよい。これによると、同じ断面積で比較すると円形の場合に比べて商品支持アーム３の強度が約５０％増す。この効果を得るには、少なくとも根本部１０の断面形状が楕円となっていればよい。この場合、被覆部材９の断面形状は芯部材８の断面形状と相似の楕円形状としても良いが、被覆部材９は商品支持アーム３の外観部となるため見栄えを考慮して図８のように円形としてもよい。
【００３９】
このように構成された商品陳列用フック１は、図２に示すように、基体部２でネット形陳列棚３０に係止される。このとき、係止片４，４は所望位置の横線材３１に係止され、基体部１１の背面下部は、下方に隣接する横線材３１に当接し、縦方向に延びる縦線材３２がＵ形溝５内に嵌入して基体部２が略垂直状となり、商品支持アーム３は、略水平に前方へ延出している。そして、商品支持アーム３には、多数の商品３５ａが吊り下げられる。
【００４０】
＜第２の実施形態＞
本発明の第２の実施形態について説明する。図１０は第２の実施形態の商品陳列用フックを示す斜視図である。図１１は第２の実施形態の商品陳列用フックの使用状態を示す斜視図である。これらの図において第１の実施形態の商品陳列用フックと同一部分には同一符号を付して説明を省略する。
【００４１】
本実施形態の商品陳列用フック１’では、図１０に示すように、基体部２の前面側に中央部から前方へ延出する商品支持アーム３に加えて、その商品支持アーム３の上方位置であって基体部２の前面側の上部から前方へ、略水平方向に棒状に延出するカード表示体１４を係合保持可能なカードアーム１５を備え、商品支持アーム３およびカードアーム１５が基体部２と一体に形成されている。
【００４２】
第１の実施形態と同様に、商品支持アーム３は本体部６および傾斜部７から構成され、本体部６が硬質で曲げ弾性を有する材料から成る芯部材８と軟質で弾性変形可能な材料から成る被覆部材９との異質材料の二重構造で形成され、傾斜部７が被覆部材９と同一材料で被覆部材９と一体に形成されている。
【００４３】
カードアーム１５の先端には、上向きに屈曲された係合部１６が形成されている。係合部１６に係合保持されるカード表示体１４は、公知のカード表示体であり、例えば、図１０に示すように、商品内容などを表示する方形板状の表示部１７と、表示部１７の背面に後方向きに突出形成された連結部１８とを有し、連結部１８には、係合部１６が嵌入可能な係合孔１９が穿設されている。
【００４４】
この商品陳列用フック１は、図１１に示すように、第１の実施形態と同様にして基体部２でネット形陳列棚３０に係止される。この係止状態で、カードアーム１５が商品支持アーム３の上部において略平行して延出した状態にある。
【００４５】
そして、カードアーム１５の係合部１６に、商品内容などを表示した表示部１７を有するカード表示体１４を、その係合孔１９を嵌め合わせて係合保持し、商品支持アーム３に多数の商品３５ｂを吊り下げる。
【００４６】
なお、この発明は上述の説明および図例に限定されることなく、この発明の技術的思想から逸脱しない範囲において、その実施態様を変更することができる。例えば、商品支持アームは棒状部分を備えていればよく、２本の平行する棒状部分を先端で連結したＵ字形のものや、棒状部分の上面に沿って複数の突起を等間隔で設けたものでも構わない。また、商品支持アームやカードアームは基体部と一体でなくても、別々に形成して基体部に対して商品支持アームやカードアームを装着するようにしてもよい。
【００４７】
また、軟質で弾性変形可能な材料から成る被覆部材を芯部材とは別体でサック状に成形し、該被覆部材を芯部材の先端から手作業或いは機械的に被せて商品支持アームを作成してもよい。
【００４８】
さらに、カードアーム先端に、商品内容表示用の表示部を一体に備えたカード支持体を形成してもよい。また、基体部の形状は、被係止部の形状に合わせて適宜形成されるものである。
【産業上の利用可能性】
【００４９】
本発明は、商品陳列用棚などの被係止部に係止され、商品を吊り下げて陳列する商品陳列用フックに利用することができる。
【符号の説明】
【００５０】
１、１’  商品陳列用フック
２    基体部
３    商品支持アーム
６    本体部
７    傾斜部
８    芯部材
９    被覆部材
１２  小径部
１４  カード表示体
１５  カードアーム
【図１】
2010213881.tif 000003
【図２】
2010213881.tif 000004
【図３】
2010213881.tif 000005
【図４】
2010213881.tif 000006
【図５】
2010213881.tif 000007
【図６】
2010213881.tif 000008
【図７】
2010213881.tif 000009
【図８】
2010213881.tif 000010
【図９】
2010213881.tif 000011
【図１０】
2010213881.tif 000012
【図１１】
2010213881.tif 000013
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
棒状の商品支持アームに商品を吊り下げて陳列する商品陳列用フックにおいて、
前記商品支持アームは、硬質で曲げ弾性を有する材料から成る芯部材と、前記芯部材の軸線方向の全体を被覆する軟質で弾性変形可能な材料から成る被覆部材と、から構成されたことを特徴とする商品陳列用フック。
【請求項２】
前記商品支持アームは、柄の部分となる本体部の先端に、上方へ傾斜する商品抜け止め用の傾斜部を有し、前記本体部を前記芯部材および前記被覆部材で形成するとともに、前記傾斜部を前記被覆部材と同一材料で前記被覆部材と一体に形成したことを特徴とする請求項１に記載の商品陳列用フック。
【請求項３】
前記芯部材に対して前記被覆部材が一体的に二色成形してあることを特徴とする請求項１又は２に記載の商品陳列用フック。
【請求項４】
前記芯部材は、軸線方向の途中が根元部および先端部に比べて小径に形成されていることを特徴とする請求項３に記載の商品陳列用フック。
【請求項５】
前記芯部材の先端部に、軸線方向に延びる線状リブを一体で形成したことを特徴とする請求項３又は４に記載の商品陳列用フック。
【請求項６】
前記芯部材の先端面の周囲が面取りされていることを特徴とする請求項１〜５のいずれかに記載の商品陳列用フック。
【請求項７】
前記芯部材および前記被覆部材は共に、生分解性の材料から成ることを特徴とする請求項１〜６のいずれかに記載の商品陳列用フック。
【請求項８】
前記商品支持アームの軸線方向は、水平に対して上方へ傾斜していることを特徴とする請求項１〜７のいずれかに記載の商品陳列用フック。
【請求項９】
前記芯部材の断面形状を縦長の楕円形状としたことを特徴とする請求項１〜８のいずれかに記載の商品陳列用フック。